(57)【特許請求の範囲】
【請求項１】
入隅壁と建具の縦枠との間に形成される隙間を塞ぐ縦カバー材の取付構造であって、
前記縦カバー材は、
該隙間を塞ぐことができる幅寸法を有する正面部と、
該正面部の幅方向一方の端縁から縦枠の外側面に沿って延出する側面部と、
該側面部の先端縁に開口を有し、高さ方向に所定間隔を存して該側面部に複数形成された係止溝と、
を有し、
前記縦枠の外側面は、
高さ方向に所定間隔を存して複数形成され、該縦カバー材の各係止溝にそれぞれ係合するガイド突起と、
係止溝にガイド突起が係合した状態で、該縦カバー材の側面部の先端側部位を、当該外側面との間で弾性挟持する１つ以上の弾持部材と、
を有しており、
前記縦カバー材は、該正面部が該隙間及び該ガイド突起を隠蔽するようにして、該縦枠の外側面に取り付けられている、縦カバー材の取付構造。
【請求項２】
前記係止溝は、側面部の先端縁より水平状に延びる第１の溝部と、第１の溝部の溝端から上方に延びる第２の溝部と、から形成されており、
前記ガイド突起が、第２の溝部の溝端に係合するようにした、請求項１に記載の縦カバー材の取付構造。
【請求項３】
前記係止溝の開口は、最上位の係止溝を除いて、拡開状に形成されている、請求項２に記載の縦カバー材の取付構造。
【請求項４】
前記ガイド突起は、外側面に近接する側の溝受部と、外側面から離間する側の溝受部より大きな外形を有する大外形部とからなり、該溝受部の幅は、前記縦枠カバー材の側面部の肉厚よりも大きい寸法を有しており、
前記縦カバー材の側面部の基端縁に縦枠の外側面に向かって突出する突部を形成し、かつ、側面部の先端側部位を該突部と面一となるように縦枠の外側面側に偏移させてあり、
前記縦カバー材は、該突部と該先端側部位が縦枠の外側面に、側面部の基端側部位が該大外形部に、それぞれ当接するようにして、縦枠の外側面に取り付けられている、請求項１乃至３いずれかに記載の取付構造。
【発明の詳細な説明】
【技術分野】
【０００１】
本発明は、入隅壁に隣接してドアや窓サッシ等の建具を設置する際に、当該建具の縦枠と入隅壁との間に形成される隙間を、美観を損なうことなく塞ぐことができる縦カバー材の取付構造に関するものである。
【背景技術】
【０００２】
従来、プレハブ等の工業化住宅では、入隅壁の外壁を先に取り付けた後に玄関ドア、窓サッシなどの枠体を取り付けるようにしているが、顧客から「入隅壁の外壁面まで開口の状態にしたい」という要望があった場合、入隅壁に隣接する縦枠をネジ固定するうえで、ある程度の隙間（実際には３０ｍｍ以上）を入隅壁との間に残しておく必要があるため、これに対応する隙間処理の手段としては、
（１）コーキング材ａを図７（ａ）に示すように隙間ｂに充填する；
（２）隙間ｂを塞ぐ別体の縦カバー材ｃ１を図７（ｂ）に示すように入隅壁ｄに隣接する縦枠ｅに正面からネジｆで取り付ける；
（３）隙間ｂを塞ぐ別体の縦カバー材ｃ２を図７（ｃ）に示すように入隅壁ｄに隣接する縦枠ｅの正面側から嵌合させて取り付ける；
が当業者の間では既に知られている。
【０００３】
しかしながら、上述の（１）〜（３）の各手段では、
（１）処理を必要とする隙間が３０ｍｍ以上と大きいため、コーキング幅が広くならざるを得なくなり、コーキング材の経年変化や劣化に伴ってヒビや切れを生じやすく見栄えが悪くなる；
（２）縦カバー材ｃ１を縦枠ｅの正面からネジ止めするので見栄えが悪くなる；
（３）縦カバー材ｃ２との嵌合が可能な専用縦枠を用いた建具としなければならず、この建具を他の一般的な建具として使用する上で不必要な部位ｘ、ｙの構成を有することとなって、製造コストの上昇を余儀なくされる；
という問題を内包するものであった。
【０００４】
また、特許文献１には、開口枠への保護カバーの取付構造が記載されているが、開口枠と保護カバーとを係止片、係止溝を介して係合させるようにしたものであり、図７（ｃ）に示す構成と類似するものであり、同様の不具合がある。
【特許文献１】特開平８−２７０３２６号公報
【発明の開示】
【発明が解決しようとする課題】
【０００５】
本発明は、上記不具合を一掃するべく創案されたものであって、玄関ドア、窓サッシなどの枠体と入隅壁との間に生じる隙間を、美観を損なうことなく容易に塞ぐことができる縦カバー材の取付構造を提供しようとするものである。
【課題を解決するための手段】
【０００６】
上記課題を解決するため、本発明は、入隅壁と建具の縦枠との間に形成される隙間を塞ぐ縦カバー材の取付構造を提供する。前記縦カバー材は、該隙間を塞ぐことができる幅寸法を有する正面部と、該正面部の幅方向一方の端縁から縦枠の外側面に沿って延出する側面部と、該側面部の先端縁に開口を有し、高さ方向に所定間隔を存して該側面部に複数形成された係止溝と、を有する。前記縦枠の外側面は、高さ方向に所定間隔を存して複数形成され、該縦カバー材の各係止溝にそれぞれ係合するガイド突起と、該係止溝にガイド突起が係合した状態で、該縦カバー材の側面部の先端側部位を、当該外側面との間で弾性挟持する１つ以上の弾持部材と、を有している。前記縦カバー材は、該正面部が該隙間及び該ガイド突起を隠蔽するようにして、該縦枠の外側面に取り付けられている。縦枠、縦カバー材は共に、高さ方向に延出する長尺部材である。後述する実施形態では、ガイド突起は、縦枠の外側面に螺設したガイドピンの一部（頭部）から構成されている。このように、縦枠とは別部材によりガイド突起を構成し、当該ガイド突起を縦枠に後付けすることで、従来から汎用的に用いられている建具の縦枠をそのまま利用して縦カバー材の取付構造を提供することができる。また、後述する実施形態では、複数の弾持部材が縦枠の高さ方向に複数配設されているが、縦カバー材の側面部を弾性支持できるものであれば、個数は限定されず、例えば、弾持部材は高さ方向に延出する１つの長尺材であってもよい。弾持部材を縦枠に後付けすることで、従来から汎用的に用いられている建具の縦枠をそのまま利用して縦カバー材の取付構造を提供することができる。
【０００７】
１つの好ましい態様では、前記係止溝は、側面部先端縁より水平状に延びる第１の溝部と、第１の溝部の溝端から上方に延びる第２の溝部と、から形成されており、前記ガイド突起が、第２の溝部の溝端に係合するようにした。
【０００８】
１つの好ましい態様では、前記係止溝の開口は、最上位の係止溝を除いて、拡開状に形成されている。
【０００９】
１つの好ましい態様では、前記ガイド突起は、外側面に近接する側の溝受部と、外側面から離間する側の溝受部より大きな外形を有する大外形部とからなり、該溝受部の幅は、前記縦枠カバー材の側面部の肉厚よりも大きい寸法を有しており、前記縦カバー材の側面部の基端縁に縦枠の外側面に向かって突出する突部を形成し、かつ、側面部の先端側部位を該突部と面一となるように縦枠の外側面側に偏移させてあり、前記縦カバー材は、該突部と該先端側部位が外側面に、側面部の基端側部位が該大外形部に、それぞれ当接するようにして、該外側面に取り付けられている。後述する実施形態では、ガイド突起は、頭部と軸部とからなるガイドピンの頭部及び軸部の基端部とから構成されており、大径部である頭部が大外形部を構成し、小径部である軸部基端部が溝受部を構成している。また、後述する実施形態では、突部は、高さ方向に延出する長尺状の突条であるが、短尺状の突部を高さ方向に間隔を存して複数形成したものでもよい。
【発明の効果】
【００１０】
本発明に係る縦枠の取付構造よれば、従来のようなコーキング材の使用による経年変化や劣化、あるいはカバー材を止着する止めネジが外面に露出する、等の問題を一掃して、長期にわたって美観に優れた入隅壁と隙間の処理構成をワンタッチで容易かつ確実に保持することができる。また、ガイド突起及び弾持部材は共に縦枠に後付けすることで、従来から汎用的に用いられている建具の縦枠をそのまま利用して隙間処理を行うことができ、入隅壁専用の建具構成を殊更必要とすることがなく、隙間処理における製造コストの上昇を抑えることができる。
【００１１】
係止溝を、側面部の先端縁より水平状に延びる第１の溝部と、第１の溝部の溝端から上方に延びる第２の溝部と、から形成して、縦カバー材を縦枠に対して落とし込むようにしてガイド突起を第２の溝部の溝端に係合させるようにしたものでは、縦カバー枠が縦枠から外れ難くなる。
【００１２】
係止溝の開口を、最上位の係止溝を除いて、拡開状に形成したものでは、高さ方向に延出する長尺材である縦カバー材を縦枠に係合させるにあたり、最初に最上位の係止溝にガイド突起を仮係止させた状態で、上方の当該仮係止部を支点として縦カバー材を回動させて、最上位の係止溝より下方の係止溝にガイド突起を案内して係止させることができ、作業性が良好である。
【００１３】
ガイド突起を、外側面に近接する側の溝受部と、外側面から離間する側の溝受部より大きな外形を有する大外形部とから構成し、該溝受部の幅が、前記縦枠カバー材の側面部の肉厚よりも大きい寸法を有するものでは、縦枠に対する縦カバー材の差し込みを容易に行うことができる。さらに、前記縦カバー材の側面部の基端縁に縦枠の外側面に向かって突出する突部を形成し、かつ、側面部の先端側部位を該突部と面一となるように縦枠の外側面側に偏移させ、前記縦カバー材を、該突部と該先端側部位が縦枠の外側面に、側面部の基端側部位が該大外形部に、それぞれ当接するようにして、縦枠の外側面に取り付けることで、係止突起の幅と側面部の肉厚との差を補正して縦カバー材のガタつきを防止する。
【発明を実施するための最良の形態】
【００１４】
本発明の一実施例を図面に基づいて詳細に説明する。図１は本発明の入隅壁Ａに隣接する建具として、左右袖を併設した玄関ドアを室外側から見た正面図であって、玄関ドア１は、戸尻側に設けた蝶番２、２、２を介して開口部３を開放、閉鎖する扉体４の戸先側に、取手部５、上下の施錠鍵孔６ａ、６ｂを配設してなり、さらに、扉体４の左右位置には袖部（例えば採光を目的としてガラスパネルが嵌装される）７ａ、７ｂが併設されて玄関ドア１が構成されている。
【００１５】
袖部７ａ、７ｂのうち、図示で左側の袖部７ａの縦枠８は、入隅壁Ａに隣接している。縦枠８は高さ方向に延出する長尺部材である。図２に示すように、縦枠８の見込面を構成する外側面８ａには、見込方向前方にガイドピン９が設けてある。ガイドピン９は、縦枠８の外側面８ａの高さ方向に所定間隔を存して複数設けてある。ガイドピン９は、頭部と軸部とを有する螺子であって、軸部を外側面８ａに螺挿することで外側面８ａに固定され、外側面８ａの外部に突出しているガイドピン９の頭部側（頭部９ａと軸部の基端部９ｂ）がガイド突起９０を構成している。外側面８ａの見込方向後方には弾持金具１０、１０…が貼着固定されている。入隅壁Ａと縦枠８の外側面８ａとの間に形成される隙間Ｂには、縦カバー材１１がガイドピン９、９…および弾持金具１０、１０…に支持された状態で、隙間Ｂ及びガイド突起９０を隠蔽するようにして、縦枠８の外側面８ａに固定されている。
【００１６】
縦カバー材１１は、図３（ａ）（ｂ）および図４（ａ）（ｂ）に示すように、見付面を構成する正面部１２と、見込面を構成する側面部１３と、を有し、隙間Ｂを塞ぐことができる幅寸法を有する正面部１２の一方の端縁に、側面部１３を一体形成してなる断面視Ｌ字状の部分を基本構成としている。図示の態様では、断面視Ｌ字状をなす基本構成に加えて、縦カバー材１１を構成する正面部１２の他方の端縁に、側面部１３と離間対向する側面部１９が見込方向に一体に延出されており、縦カバー材１１の剛性を向上させたものとなっている。
【００１７】
側面部１３には、側面部１３の先端縁に開口を有する係止溝１４が、高さ方向に所定間隔を存して複数形成されている。図示の態様では、係止溝１４は、側面部１３の先端縁に開口を有し、水平に切り欠いた第１の溝部１４ａと、その溝端から上方に向けて垂直に切り欠いてなる第２の溝部１４ｂからＬ字状に形成されている。係止溝１４を、側面部の先端縁より水平状に延びる第１の溝部１４ａと、第１の溝部１４ａの溝端から上方に延びる第２の溝部１４ｂと、から形成したものでは、ガイド突起９０に係止溝１４を介して縦カバー材１１を落とし込んだ際に、ガイド突起９０が、第２の溝部１４ｂの溝端に係合するようにしている。
【００１８】
ガイドピン９の頭部側部位によって構成されるガイド突起９０は、ガイドピン９の頭部９ａにより構成される大径部と、ガイドピン９の軸部の基端部９ｂから構成される小径部と、から構成されている。小径部は溝部１４を案内する溝受部を構成しており、小径部は大径部と外側面８ａとの間に位置している。小径部の幅（見付方向の寸法）は、縦カバー材１１の側面部１３の肉厚よりも大きい寸法を有している。こうすることで、縦枠８のガイド突起９０に対する縦カバー材１１の差し込みを容易に行えるようにしている。
【００１９】
側面部１３の基端縁１３´には、その高さ方向（長手方向）に突条１５が一体に延設されている。さらに、見込方向に延びる側面部１３の中間部位から先端縁に至る先端側部位Ｃを、見付方向（外側面８ａ側）に偏倚させて突条１５と面一をなす断面形状に側面部１３を構成している。Ｌ字状の係止溝１４を構成する第２の溝部１４ｂを、側面部１３の基端縁１３´から中間部位に至る基端側部位Ｄに形成することで、ガイドピン９に係止溝１４を介して縦カバー材１１を落とし込んだ際に、ガイドピン９の頭部９ａと縦枠８の外側面８ａとの間で側面部１３の基端側部位Ｄを押さえて縦カバー材１１のガタツキを防止するように構成されている。
【００２０】
縦カバー材１１の側面部１３に形成される係止溝１４の第１の溝部１４ａの開口は、縦カバー材１１の最上位の係止溝１４を除いて拡開状となっており、拡開された案内部１６となっている。
【００２１】
側面部１３に穿設された孔１７は、縦カバー材１１を縦枠８に取り付ける際に作業者が指を掛けるために設けられたものである。縦カバー材１１は、縦枠と入隅壁との間に形成される隙間を塞ぐものであり、縦カバー材１１の取付作業は狭いスペースで行われるので、側面部１３に指を掛けるための掴み部を設けることで、取付作業性が向上する。図示の例では、掴み部を円形孔１７から構成しているが、掴み部を構成する孔の形状は、指先の腹部にフィットするものであれば他の形状でもよく、あるいは、孔に代えて凹部から掴み部を構成してもよい。
【００２２】
縦枠８の外側面８ａに貼着固定された弾持金具１０は、貼着面１０ａの余長部を垂直に折曲してＶ字状の押え面１０ｂを一体に形成した板バネ材で構成されており、ガイド突起９０に係止溝１４を介して縦カバー材１１を落とし込んだ際には、縦カバー材１１の先端側部位Ｃに凹設した係合凹部１８に押え面１０ｂの頂部１０ｃを嵌着し、縦枠８の外側面８ａとの間で縦カバー材１１の側面部１３を弾圧挟持した状態で、係合凹部１８に嵌着する頂部１０ｃにより縦カバー材１１の抜け止めを行うようになっている。係合凹部１８は、高さ方向に垂直状に延出しており、縦カバー材１１の落と込みに影響を与えることがない。
【００２３】
本発明は上記のように構成されているから、入隅壁Ａと袖部７ａを構成する縦枠８の外側面８ａとの間に形成される隙間Ｂを塞ぐには、図３（ｂ）に示すように、傾斜姿勢を保持した縦カバー材１１の最上位の係止溝１４を、対応する縦枠８のガイド突起９０に係止し、ガイド突起９０を構成する軸部基端部９ｂを支点として、同図の矢印方向に縦カバー材１１を回動して垂直姿勢に移行させる。この時、最上位の係止溝１４を除いたその他の係止溝１４の開口には案内部１６が形成されているので、各係止溝１４の第１の溝部１４ａは、図４（ｃ）および図５の矢印に示すように、スムーズに各ガイド突起９０に水平方向に進入し、縦カバー材１１の先端側部分Ｃに凹設した係合凹部１８と、縦枠８の外表面８ａに貼着固定した弾持金具１０の押え面１０ｂの頂部１０ｃが嵌着した時点（図４（ｄ））で、縦カバー材１１を第２の溝部１４ｂを介して下方に落とし込むと、縦枠８の外側面８ａとの間で縦カバー材１１の側面部１３が弾圧挟持されると共に、ガイド突起９０を構成するガイドピン９の頭部９ａと縦枠８の外側面８ａとの間で、側面部１３の基端側部分Ｄが先端側部分Ｃと突条１５の介在により押さえられて、縦カバー材１１が縦枠８にガタツキを伴うことなく強固に固定されることになる。また、縦カバー材１１を縦枠８に対して落とし込むようにして、ガイド突起９０を第２の溝部の溝端に係合させることで、縦カバー枠１１が縦枠８から外れ難くなる。
【００２４】
したがって、入隅壁Ａと袖部７ａを構成する縦枠８の外側面８ａとの間に形成される隙間Ｂをワンタッチで容易に塞ぐことができ、作業性の向上とともに美観に優れた隙間処理を可能とすることができる。
【産業上の利用可能性】
【００２５】
ドアや窓サッシなどの建具に利用することができる。
【図面の簡単な説明】
【００２６】
【図１】本発明の建具の隙間処理構造を採用した玄関ドアの正面図である。
【図２】要部拡大断面図である。
【図３】（ａ）は縦カバー材の係止溝を示す一部省略側面図、（ｂ）は同全体側面図である。
【図４】（ａ）は縦カバー材の断面図、（ｂ）は同拡大断面図、（ｃ）および（ｄ）は縦カバー材の取り付けを示す作用説明図である。
【図５】縦カバー材の取り付け手順を示す斜視図である。
【図６】縦カバー材の取り付けを完了した縦枠の状態を示す斜視図である。
【図７】（ａ）は従来の隙間の状態を示す断面図、（ｂ）は同コーキング材を採用した場合を示す断面図、（ｃ）は縦カバー材を採用した場合を示す断面図、（ｄ）は他の縦カバー材を採用した場合を示す断面図である。
【符号の説明】
【００２７】
８      縦枠
８ａ    外側面
９      ガイドピン
９０    ガイド突起
９ａ    頭部
９ｂ    軸部基端部
１０    弾持金具
１１    縦カバー材
１２    正面部
１３    側面部
１４    係止溝
１４ａ  第１の溝部
１４ｂ  第２の溝部
１５    突条
１６    案内部
１９    側面部
Ａ      入隅壁
Ｂ      隙間
Ｃ      先端側部位
Ｄ      基端側部位
【図１】
0004611223.tif 000002
【図２】
0004611223.tif 000003
【図３】
0004611223.tif 000004
【図４】
0004611223.tif 000005
【図５】
0004611223.tif 000006
【図６】
0004611223.tif 000007
【図７】
0004611223.tif 000008